(57)【要約】　　　（修正有）【課題】略中央部一か所での調整のみで、天井面、床面等の天地面及び壁面の変動に対応でき、調整及び保守の手間がかからない可動パネル固定装置を得る。【解決手段】天地両面間に配設されレールに沿って転動可能な複数のハンガー部材により吊下げられた可動パネル下端部に装着される可動パネル固定装置１で、可動パネル下端縁部に固着される固定ケース２１と、固定ケース２１内面を上下に摺動可能な移動ケース２２と、垂直方向に駆動ギア１２が、水平方向に従動ギア１３が収納され、固定ケース２１上側左右略中央部に固着されるギアボックス１１と、移動ケース２２の左右略中央部に固着された軸支持材１５から突設し雌ねじ孔と螺合する雄ねじを有する調整軸１６と、調整軸上端に固着され貫通孔と摺動するストッパー１６ｄとを備える。【選択図】　　　　図２
2004036355.tif 000002
【特許請求の範囲】
【請求項１】
天地両面間に配設され該天面側に敷設されたレールに沿って転動可能な複数のハンガー部材により吊下げられた可動パネル下端部に装着される可動パネル固定装置であって、イ）前記可動パネル下端縁部の長手方向開口部に沿って固着され下側に開口する固定ケースと、該固定ケース内面を上下に摺動可能で上側に開口する下面にクッション材が固着された移動ケースと、ロ）前面側垂直方向に駆動ギアが収納され及び該駆動ギアと噛合い軸芯部に雌ねじ孔が貫通された従動ギアが下面側水平方向に収納され、該従動ギア上方側に貫通孔を有し前記固定ケース上側内面の左右略中央部に固着されるギアボックスと、ハ）前記移動ケースの左右略中央部に固着された軸支持材から突設し前記雌ねじ孔と螺合する雄ねじを有する調整軸と、該調整軸上端に固着され前記貫通孔と摺動するストッパーとを備え、ニ）前記駆動ギアの前面側からの回動により前記従動ギアを回動して前記調整軸を上下せしめ前記クッション材を前記地面側に対し上下し前記可動パネルを可動及び固着位置に調整可能としたことを特徴とする可動パネル固定装置。
【請求項２】
ギアボックスが略方形体状の基部と正面視において逆Ｌ字形腕部を突出して形成され、垂直面及び水平面とで側面視略Ｌ字形に形成された板状の押え板を前記ギアボックスの前面及び下面に当接して固着し該水平面により従動ギアを及び該垂直面により駆動ギアを押さえ、前記水平面に調整軸が摺動可能な軸孔が穿設され、前記垂直面に駆動ギアに工具が挿着可能な差込み孔が穿設されていることを特徴とする請求項１に記載の可動パネル固定装置。
【請求項３】
固定ケースには側面の上端部内面に連結面内面より下に僅かな間隔をおいて一対のリップ片を向合わせて設けた溝形空間を形成し、ギアボックスに前記固定ケースの溝形空間に合わせた前後方向に開口部をおいた一対のガイド溝を設けて前記固定ケース端面側より前記ギアボックスを嵌着可能とし、移動ケースには側面の下端部内面に連結面内面より上に僅かな間隔をおいて一対のリップ片を向合わせて設けた溝形空間を形成し、前記移動ケース端面側より軸支持材を前記移動ケースの溝形空間に嵌着可能とし、左右略中央部に前記調整軸が直立するように前記固定ケースには前記ギアボックスを固着し且つ前記移動ケースには前記軸支持材を固着したことを特徴とする請求項１又は２に記載の可動パネル固定装置。
【請求項４】
ハンガー部材は、上部が丸鍋状摺動面と内側に円板状止め板を収納可能な受け部をもち下部が円筒状ボス部が突設され軸芯部に貫通孔が穿設されたベース材と、略左右中央部に軸孔が穿設されている中間片と左右に端片が配設され該中間片が端片に対し僅かに隆起して形成されている軸支持材と、下端に頭を有するハンガー軸とを備え、可動パネル上端縁部に前記端片を固着し、前記軸孔に下から挿通された前記ハンガー軸を前記貫通孔に貫通し該ハンガー軸上端に前記受け部に収納された前記止め板を固着し、前記ベース材はレールに沿い転動可能で、前記止め板及びハンガー軸は一体で、前記ベース材、止め板及びハンガー軸は上下に移動可能で、前記可動パネルの可動位置にあっては前記レールにより該可動パネルが吊下げられ、前記可動パネルの固定位置にあっては前記レールに前記中間片が当接して天地両面間に該可動パネルが密着されることを特徴とする請求項１〜３のいずれかに記載の可動パネル固定装置。
【請求項５】
請求項１〜３のいずれかに記載の可動パネル固定装置において、レール及びハンガー部材を廃し、クッション材が可動パネル側縁部において該可動パネル表面と直交し地面側に直立する側壁面に当接するように可動パネル固定装置を９０度回転させて該可動パネル側縁部に装着し、駆動ギアを回動して前記クッション材を左右方向に移動させて前記側壁面に対し前記可動パネルを可動及び固着位置に調整可能としたことを特徴とする可動パネル固定装置。
【発明の詳細な説明】
【０００１】
【発明の属する技術分野】
本発明は、部屋空間等の間仕切りに用いられる可動パネル固定装置の改良に関する。
【０００２】
【従来の技術】
部屋、空間等の間仕切りは、天井面、床面、壁面等に天地面が必ずしも厳密に水平又垂直でなく多様に変動している。これらの各空間密閉のために可動可能な所定幅の複数の可動パネルを用い上下に合成ゴム等のクッション材を配設し、各パネルの上下中部に設けられた回転軸を介してリンクを連動させ、クッション材を上及び下方に移動させ天地面に密着させる可動パネル固定装置があった。
【０００３】
【発明が解決しようとする課題】
前記従来の可動パネル固定装置では複雑なリンク機構を設けることが必要で、クッション材を上下に多用しなければならず、コストが高く、取付け、調整及び保守の手間がかかり作業性が良くなかった。
これに対し本発明は、簡易な構造で可動パネルの下側又は側端側の一方にのみ用い、略中央部一か所での調整のみでよく、天井面、床面等の天地面及び壁面の変動に対応でき、取付け、調整及び保守の手間がかからず、作業性に優れた可動パネル固定装置を得ることを目的とする。
【０００４】
【課題を解決するための手段】
前記目的を得るため、
請求項１の発明にあっては、天地両面間に配設され該天面側に敷設されたレールに沿って転動可能な複数のハンガー部材により吊下げられた可動パネル下端部に装着される可動パネル固定装置であって、イ）前記可動パネル下端縁部の長手方向開口部に沿って固着され下側に開口する固定ケースと、該固定ケース内面を上下に摺動可能で上側に開口する下面にクッション材が固着された移動ケースと、ロ）前面側垂直方向に駆動ギアが収納され及び該駆動ギアと噛合い軸芯部に雌ねじ孔が貫通された従動ギアが下面側水平方向に収納され、該従動ギア上方側に貫通孔を有し前記固定ケース上側内面の左右略中央部に固着されるギアボックスと、ハ）前記移動ケースの左右略中央部に固着された軸支持材から突設し前記雌ねじ孔と螺合する雄ねじを有する調整軸と、該調整軸上端に固着され前記貫通孔と摺動するストッパーとを備え、ニ）前記駆動ギアの前面側からの回動により前記従動ギアを回動して前記調整軸を上下せしめ前記クッション材を前記地面側に対し上下し前記可動パネルを可動及び固着位置に調整可能とした可動パネル固定装置により解決した。
請求項２の発明にあっては、ギアボックスが略方形体状の基部と正面視において逆Ｌ字形腕部を突出して形成され、垂直面及び水平面とで側面視略Ｌ字形に形成された板状の押え板を前記ギアボックスの前面及び下面に当接して固着し該水平面により従動ギアを及び該垂直面により駆動ギアを押さえ、前記水平面に調整軸が摺動可能な軸孔が穿設され、前記垂直面に駆動ギアに工具が挿着可能な差込み孔が穿設されている請求項１に記載の可動パネル固定装置とすることができる。
請求項３の発明にあっては、固定ケースには側面の上端部内面に連結面内面より下に僅かな間隔をおいて一対のリップ片を向合わせて設けた溝形空間を形成し、ギアボックスに前記固定ケースの溝形空間に合わせた前後方向に開口部をおいた一対のガイド溝を設けて前記固定ケース端面側より前記ギアボックスを嵌着可能とし、移動ケースには側面の下端部内面に連結面内面より上に僅かな間隔をおいて一対のリップ片を向合わせて設けた溝形空間を形成し、前記移動ケース端面側より軸支持材を前記移動ケースの溝形空間に嵌着可能とし、左右略中央部に前記調整軸が直立するように前記固定ケースには前記ギアボックスを固着し且つ前記移動ケースには前記軸支持材を固着した請求項１又は２に記載の可動パネル固定装置とすることができる。
請求項４の発明にあっては、ハンガー部材は、上部が丸鍋状摺動面と内側に円板状止め板を収納可能な受け部をもち下部が円筒状ボス部が突設され軸芯部に貫通孔が穿設されたベース材と、略左右中央部に軸孔が穿設されている中間片と左右に端片が配設され該中間片が端片に対し僅かに隆起して形成されている軸支持材と、下端に頭を有するハンガー軸とを備え、可動パネル上端縁部に前記端片を固着し、前記軸孔に下から挿通された前記ハンガー軸を前記貫通孔に貫通し該ハンガー軸上端に前記受け部に収納された前記止め板を固着し、前記ベース材はレールに沿い転動可能で、前記止め板及びハンガー軸は一体で、前記ベース材、止め板及びハンガー軸は上下に移動可能で、前記可動パネルの可動位置にあっては前記レールにより該可動パネルが吊下げられ、前記可動パネルの固定位置にあっては前記レールに前記中間片が当接して天地両面間に該可動パネルが密着される請求項１〜３のいずれかに記載の可動パネル固定装置とすることができる。
請求項５の発明にあっては、請求項１〜３のいずれかに記載の可動パネル固定装置において、レール及びハンガー部材を廃し、クッション材が可動パネル側縁部において該可動パネル表面と直交し地面側に直立する側壁面に当接するように可動パネル固定装置を９０度回転させて該可動パネル側縁部に装着し、駆動ギアを回動して前記クッション材を左右方向に移動させて前記側壁面に対し前記可動パネルを可動及び固着位置に調整可能とした可動パネル固定装置とすることができる。
【０００５】
【発明の実施の形態】
本発明の実施の形態を図面に基づき説明する。
図１は、本発明の可動パネル固定装置の一例の各構成要素の分解斜視各図である。
図２は、図１の可動パネル固定装置の組立て各図である。
図３は、図１の可動パネル固定装置の調整を示す斜視各図である。
図４は、図１の可動パネル固定装置と対で用いられるハンガー部材の各構成要素の分解斜視図である。
図５は、図４のハンガー部材の組立て各図である。
図６は、図１の可動パネル固定装置の可動パネルへの取付け及び調整を示す斜視各図である。
以下においては、可動パネル固定装置を調整をする側すなわち図６においての紙面手前側を前側とし、その反対側を後側とし、可動パネルを前側から後側に向かって見て左右とし、実際に使用される可動パネルは複数枚であるが一組について説明し、又各構成要素は使用状態においての位置関係で説明する。共通する各構成要素については図面の輻輳化を避けるため一部記載を省略してある。
【０００６】
本発明の可動パネル固定装置は、図６（ａ）に示すように可動パネルＡの下端部及び／又は側縁部に設けられるか、図６（ｂ）に示すように可動パネルＡの下端部に設けられるかであるが、以下においては先ず可動パネルＡの下端部に設けられる一例の可動パネル固定装置１について詳述する。可動パネル固定装置１はこれに対応して可動パネルＡ上端部に設けられる複数通常２組のハンガー部材３と対で用いられる。
先ず図１、２により可動パネル固定装置１の構成要素を説明する。ここで図２（ｂ）では、各部構成の理解が容易なように、固定ケース、移動ケース及びクッション材をＢＢ′断面図で示し、他の可動パネル固定装置の構造体部分はそのまま直視可能な正面図で示してある。
可動パネル固定装置１は、可動パネルＡ毎に１組が用いられ、ギアボックス１１、駆動ギア１２、従動ギア１３、押え板１４、軸支持材１５、調整軸１６及び各固着具１７、１８、１９、２０並びに後述する固定ケース２１、移動ケース２２及びクッション材２３を有している。通常ギアボックス１１及びクッション材２３以外は鉄又はアルミ等の金属製とし、ギアボックス１１は金属又は硬質プラスチック製好ましくは硬質プラスチックとし、クッション材２３は弾性を有する天然又は合成ゴム製等とされている。
ギアボックス１１は、略方形体状の基部１１ａとこれから正面視において逆Ｌ字形に腕部１１ｂが突出して外形が形成され、上端部に前後方向の開口部をおいて僅かに下部より幅狭の前後対称の側面視略コ字形の一対のガイド溝１１ｃが設けられている。又基部１１ａの正面視において側面の略中央部に駆動ギア１２を垂直方向に収納し回動可能とする丸孔１１ｄとその奥のすり鉢状孔１１ｅとで同軸の段付きめくら孔が形成され、丸孔１１ｄを中心として基部１１ａ前面の左右略対称位置に一対の小突起１１ｉが突設されている。すり鉢状孔１１ｅは、後述する可動パネル固定装置１の組立て時において、差込み溝１２ｂへの工具Ｔの挿着を助けるためのもので形状はすり鉢状に限定されない。
基部１１ａの下面視において下面の略中央部に従動ギア１３を水平方向に収納し回動可能とする丸孔１１ｆとその奥の中間孔１１ｇ及び更にその奥の基部１１ａ前面に開口する貫通孔１１ｊとが各同軸で二段の段付き孔として形成され、基部１１ａ下面に丸孔１１ｆを中心として前後左右略対称位置に４個の止め孔１１ｈが設けられ４個の例えば止めねじの固着具１９がねじ込み可能とされている。腕部１１ｂには通し孔１１ｋが上下に貫通され、下からギアボックス１１を可動パネルＡに固着するための例えば止めねじの固着具１８が挿通可能とされている。ここで、基部１１ａの前側面のうち丸孔１１ｄ及び小突起１１ｉを含む前下面１１ｎはその前上面に対し僅かに後に削込まれこの部分に後述する押え板１４の垂直面１４ｂが当接され前上面に対し略面一なるようにされている。
【０００７】
駆動ギア１２は、歯車１２ａと軸芯部に回動のためにドライバー等の工具Ｔを差込んで操作する例えば十字形の差込み溝１２ｂが設けられ、基部１１ａの丸孔１１ｄ内に垂直方向に収納される。
従動ギア１３は、下側の歯車１３ａと上側のボス１３ｂとが上下に連設され、軸芯部に雌ねじ孔１３ｃが貫通され、基部１１ａの丸孔１１ｆ内に孔付のワッシャー１３ｄを介して水平方向に収納される。駆動ギア１２及び従動ギア１３は後述する可動パネル固定装置１の組立て時において、ギアボックス１１内にそれぞれの軸が直交状態で噛合い可能におかれ、駆動ギア１２の回動によって従動ギア１３が減速して従動される。歯車の種類として例えばフェースギア、ベベルギアその他の軸が直交状態で噛合可能な組合わせであれば特に限定はなく、減速比は特に限定はないが本例では例えば２：１にとられている。
押え板１４は、板状の水平面１４ａと垂直面１４ｂとで側面視略Ｌ字形に形成され、水平面１４ａには略中央部に軸孔１４ｃと該軸孔１４ｃを中心として前後左右略対称位置に例えば止めねじの固着具１９が挿通可能な４個の止め孔１４ｅがそれぞれ穿設され、垂直面１４ｂには略中央部に差込み溝１２ｂが操作可能な差込み孔１４ｃと該差込み孔１４ｃの左右略対称位置に小突起１１ｉに圧入可能な一対の止め孔１４ｆがそれぞれ穿設されている。
軸支持材１５は、板状の略方形の中間片１５ａと左右に略方形の端片１５ｂ、１５ｂが配設され、中間片１５ａが端片１５ｂ、１５ｂに対し僅かに隆起して形成され、中間片１５ａの略中央部に軸孔１５ｃが穿設され、各端片１５ｂにはねじ１５孔ｄが穿設され上方から後述する移動ケース２２に固着するための先端平坦な一対の例えば取付けねじの固着具２０が螺合可能とされている。軸孔１５ｃは調整軸１６の軸１６ａが挿通可能にとられている。
調整軸１６は、中部より上部に雄ねじが設けられた軸１６ａと、下端部に円板の一部を平行に切欠いた異形頭１６ｂと、上端軸芯部に雌ねじ孔１６ｃとが設けられている。別体のストッパー１６ｄは円板状で、軸芯部に皿付き孔１６ｅが穿設され、皿付き孔１６ｅには例えば皿頭付止めねじの固着具１７を挿通し、調整軸１６の雌ねじ孔１６ｃに螺合して固着される。異形頭１６ｂは後述する固定ケース２１との組立て時に固定ケース２１の内幅に合わせ回り止めを兼ねている。ここで、従動ギア１３の雌ねじ孔１３ｃには軸１６ａの雄ねじが螺合可能で、ストッパー１６ｄの外径はギアボックス１１の貫通孔１１ｊを上下に摺動可能にとられている。軸１６ａに固着されたストッパー１６ｄは、図２（ｃ）に示す貫通孔１１ｊの下限位置に達したとき従動ギア１３のボス１３ｂ上端に当接して停止し、図２（ｄ）に示す貫通孔１１ｊの上限位置に達したとき基部１１ａ上面と面一の固定ケース２１の連結面２１ｂ内面に当接するようにされている。
以上各構成間の外径を対比すると、「丸孔１１ｆ＞歯車１３ａ＞中間孔１１ｇ＞ボス１３ｂ＞貫通孔１１ｊ＞ストッパー１６ｄ＞軸孔１５ｃ、１４ｃ＞軸１６ａ＞雌ねじ孔１６ｃ」にとられている。
【０００８】
次に図２、３により可動パネル固定装置１において可動パネルＡとの取合いに関連する構成として、固定ケース２１、移動ケース２２及びクッション材２３について説明するが、これらの各部材の長手方向長さは、可動パネルＡの左右幅と実質的に同じにとられている。
固定ケース２１は、断面が前後垂直に外寸ａ、内寸ｂの間隔で上下高さｈの平行する一対の板状側面２１ａと、各側面２１ａの上端部を繋げる水平な板状連結面２１ｂとで断面が下側に開口する略コ字形の溝形に形成され、各側面２１ａの内側上端部に連結面２１ｂ内面より下に僅かな間隔をおいて水平な一対のリップ片２１ｃが向合って設けられ、各側面２１ａの垂直内面、連結面２１ｂの水平内面及びリップ片２１ｃとで囲まれた溝形空間が固定ケース２１上端部に形成されている。ここで外寸ａ及び上下高さｈは可動パネルＡ下端縁部に穿設される断面下側に開口する略コ字形の開口部Ａ１の前後幅ａ′、上下高さｈ′よりそれぞれ僅かに小さくとられ固定ケース２１及び開口部Ａ１に多少の変形があっても容易に可動パネル開口部Ａ１に固定ケース２１を嵌着可能とされている。可動パネルＡ下端縁部の前面には後述する可動パネル固定装置１と可動パネルＡとの組立て時に駆動孔２１ｄと連通する駆動孔Ａ３が穿設されている。
図２、６に示す通り、前側面２１ａには駆動孔Ａ３側からドライバー等の工具Ｔを挿入して駆動ギア１２を回動する駆動孔２１ｄと、連結面２１ｂには左右略中央部に固定ケース２１の固着孔２１ｆと、固着孔２１ｆから僅かに一方寄り本例では左側にギアボックス１１の基部１１ａの端部を当接する位置決めねじ２５が挿着される通し孔２１ｇと、他方寄り本例では右側にギアボックス１１の腕部１１ｂの通し孔１１ｋと重ねて固着具１８が挿通可能な通し孔２１ｅとがそれぞれ穿設されている。
移動ケース２２は、固定ケース２１が摺動可能なように断面が前後垂直に内寸ｂより僅かに小さい外寸ｃの間隔で上下高さｉの平行する一対の板状側面２２ａと、各側面２２ａの下端部を繋げる板状連結面２２ｂとで断面が上側に開口する略コ字形の溝形に形成され、各側面２２ａの内側下端部に連結面２２ｂ内面に対し上に僅かな間隔をおいて水平な一対のリップ片２２ｃ、２２ｄが前後に向合って設けられ、各側面２２ａの垂直内面及びリップ片２２ｃ、２２ｄで囲まれた溝形空間が移動ケース２２下端部に形成されている。連結面２２ｂには、上面前後中央部に固着具２０の先端が圧着される浅溝２２ｅが、下面前後中央部にクッション材２３の凸部２３ａが嵌着可能な凹溝２２ｆが、それぞれ長手方向全長にわたり設けられている。
クッション材２３は、外寸ｃを超えない前後幅で移動ケース２２の長手方向全長に合わせた長さで前後部２３ｂと前後方向中央部に凹溝２２ｆに嵌着する凸部２３ａが突設され、通常接着により連結面２２ｂ、リップ片２２ｄ下面側に固着される。
クッション材２３及び移動ケース２２には底面側よりドライバー等の工具で固着具１８を調整可能とするため通し孔２１ｅに対応する位置に貫通孔２２ｇが穿設されている。
移動ケース２２の上下高さｉは、通常クッション材２３の図２（ｃ）に示す下限位置（可動パネルＡの固定位置）では固定ケース２１下端より移動ケース２２の大部分が下がり例えば本例では２０ｍｍにおかれ、図２（ｄ）に示す上限位置（可動パネルＡの可動位置）では移動ケース２２隠れて固定ケース２１下端にクッション材２３のみが見えるようにされ、床面ＧＧとの間に空隙を有している。
【０００９】
図４、５によりハンガー部材３の構成要素を説明する。
ハンガー部材３は可動パネルＡ毎に複数個本例では２個を組として用いられ、ベース材３１、止め板３２、固着具３３、３６、３７、軸支持材３４及びハンガー軸３５を有し、ここでベース材３１以外の各構成要素は鉄又はアルミ等の金属製とされ、ベース材３１は金属又は硬質プラスチック製好ましくは硬質プラスチック製とされている。
ベース材３１は、上部は丸鍋状で外周の摺動面３１ａと内側の受け部３１ｂとをもち、下部は底面から円筒状のボス部３１ｄが突設され、受け部３１ｂからボス部３１ｄに貫通孔３１ｃが穿設されている。
止め板３２は円板状で、受け部３１ｂに摺動可能な大きさで、軸芯部に皿付き孔３２ａが穿設されている。
軸支持材３４は、板状の略方形の中間片３４ａと左右に略方形の端片３４ｂ、３４ｂが配設され、中間片３４ａが端片３４ｂ、３４ｂに対し僅かに隆起して形成されている。中間片３４ａの略中央部に軸孔３４ｃが穿設され、各端片３４ｂには固着孔３４ｄが例えば各４個づつ穿設され、上方から後述する可動パネルＡ上端縁部に固着するための各４個づつの例えば取付けねじの固着具３６（一部の図示省略）が挿着可能とされている。
ハンガー軸３５は、中部の周方向に小溝３５ｂをもった軸３５ａと、下端部に例えば円形の頭３５ｃと、上端軸芯部に雌ねじ孔３５ｄとが設けられている。
固着具３７は通常Ｃ形止め輪で、軸３５ａの小溝３５ｂに挿着される。
ハンガー部材３の各構成要素の相対関係は、ハンガー軸３５の軸３５ａは軸孔３４ｃに挿通され上下に移動可能で、軸３５ａに上から固着具３７、ベース材３１の順に挿通され、固着具３３を皿付き孔３２ａに挿通してハンガー軸３５の雌ねじ孔３５ｄに螺合してハンガー軸３５先端に止め板３２を固着し、受け部３１ｂに止め板３２がおかれる。ここでベース材３１は、後述する通り可動パネルＡの上方の天井面に固着されるレールＢに案内されて摺動し軸芯回りに回動可能とされ、受け部３１ｂは止め板３２と摺動可能で、貫通孔３１ｃは軸３５ａとそれぞれ摺動可能にとられ、固着具３７はベース材３１が下方へ落下するのを防止している。
【００１０】
図１乃至３、６により可動パネル固定装置１の組立て及び作動について説明する。
可動パネル固定装置１は天地両面を有する場合に適用され、部屋等の天井面及び床面の場合について説明する。
天井面に間仕切りのレイアウトの従って例えば断面リップ溝形のレールＢを下側が開口するように敷設し、間仕切りに用いる複数の可動パネルＡを用意し、上端縁部に上側に開口する略コ字形の開口部Ａ２を、下端縁部に下側に開口する略コ字形の開口部Ａ１をそれぞれ長手方向全長にわたり設け、下端縁部の前面には駆動孔Ａ３が穿設されている。
次にギアボックス１１の丸孔１１ｄに駆動ギア１２を垂直方向に収納し、中間孔１１ｇ及び丸孔１１ｆｇにワッシャー１３ｄを介して水平方向に従動ギア１３を収納し、押え板１４の垂直面１４ｂの止め孔１４ｆに小突起１１ｉを圧入し、水平面１４ａの４個の止め孔１４ｅに止めねじ１９を螺合して固着する。このとき駆動ギア１２及び従動ギア１３はギアボックス１１内で軸が直交して噛合い、駆動ギア１２の回動によって従動ギア１３が減速して従動可能とされ、押え板１４の垂直面１４ｂはギアボックス１１の前側面の上部分に対し略面一状態におかれる。軸支持材１５の中間片１５ａの軸孔１５ｃに下から調整軸１６を異形頭１６ｂを下にして挿通し、ギアボックス１１に組込まれた従動ギア１３の雌ねじ孔１３ｃに軸１６ａの雄ねじを下から螺合し、該軸１６ａ上端に貫通孔１１ｊ上側より固着具１７を皿付き孔１６ｅに挿通したストッパー１６ｄを螺着する。
これにより、差込み孔１４ｄから駆動ギア１２を駆動すると従動ギア１３が回動し、従動ギア１３の雌ねじ孔１３ｃの回動により螺合している軸１６ａの雄ねじを通して軸１６ａが上下可能となり、ギアボックス１１回りの構造体が組立完了する。
次に、移動ケース２２端面側より下端部に形成されている溝形空間に軸支持材１５の中間片１５ａを中央にし端片１５ｂ、１５ｂが左右に跨がるように通し、前記組立て完了したギアボックス１１回りの構造体を移動ケース２２の左右略中央部に調整軸１６軸芯が直立するようにおいて一対のねじ孔１５ｄに固着具２０を螺合し移動ケース２２に軸支持材１５を固着する。
次に、固定ケース２１を間隔をおいた複数の固着孔２１ｆに固着具２４を挿通して可動パネルＡの開口部Ａ１上面に固着し、通し孔２１ｇに位置決めねじ２５を挿着して開口部Ａ１上面に固着し、該位置決めねじ２５の頭を開口部Ａ１上面から下方に突出しておく。固定ケース２１の下端部に形成されている溝形空間に右側よりにギアボックス１１の基部１１ａ側上端部を通しガイド溝１１ｃがリップ片２１ｃに案内されて左右略中央部に移動し、位置決めねじ２５の頭に基部１１ａの左端部が当接して停止した所で、クッション材２３底面側より長目のドライバー等の工具で固着具１８を貫通孔２２ｇに挿通し、通し孔１１ｋと２１ｅとを重ねて固着具１８を挿通し開口部Ａ１上面に固着する。このとき固定ケース２１の前側面２１ａの駆動孔２１ｄと駆動ギア１２の軸芯が一致し、駆動孔２１ｄ及び差込み孔１４ｄに工具Ｔを挿入し駆動ギア１２は回動可能となる。
可動パネル固定装置１の作動は、駆動孔Ａ３、２１ｄ及び差込み孔１４ｄより工具Ｔを前側より挿入し、「駆動ギア１２の回動→従動ギア１３の回動→調整軸１６の上下動→移動ケース２２及びクッション材２３の上下動」　と続き、天井面、床面等の変動に対応して図２（ｄ）、図３（ｂ）に示す可動パネルＡを左右に移動し選択可能な可動位置から、図２（ｃ）、図３（ａ）に示す可動パネルＡを定着固定する固定位置の間を一か所の駆動ギア１２での調整のみで容易に調整される。
【００１１】
図４乃至６により可動パネル固定装置１に用いるハンガー部材３の組立て及び作動について説明する。
軸支持材３４の中間片３４ａの軸孔３４ｃに下からハンガー軸３５を頭３５ｃを下にして挿通し、中間片３４ａから突出している軸３５ａに上から固着具３７、ベース材３１の順に挿通し、固着具３７を小溝３５ｂに挿着し、止め板３２の皿付き孔３２ａに挿通した固着具３３を雌ねじ孔３５ｄと螺合させ、ハンガー軸３５上端に受け部３１ｂに収納された止め板３２を固着し、ハンガー部材３の構造体が組立て完了する。
次に図５（ａ）（ｂ）に示す通り、可動パネルＡ上端縁部に断面上側に開口する略コ字形の前後幅ｋ、上下高さｎの開口部Ａ２を長手方向全長にわたり設け、上向きの開口部Ａ２の開口に向合って断面下側に開口する例えばリップ溝形で垂直面の間隔内寸ｊのレールＢを部屋のレイアウトに従って天井面に敷設し、適宜の間隔で複数の固着具３８により固着する。可動パネルＡの開口部Ａ２下面には，左右端部２箇所に組立て完了したハンガー部材３の２組をおき、各固着孔３４ｄに固着具３６を挿着して固着する。このとき可動パネルＡ下側は前記した図２（ｄ）、図３（ｂ）に示すクッション材２３が上限位置にある可動位置としておく。
そして、レールＢ端面側より形成されているリップ溝形空間にベース材３１を通し可動パネルＡをレールＢに吊下状態とする。このとき、可動パネルＡに固着される軸支持材３４に対し、ベース材３１、止め板３２、固着具３３、３７、及びハンガー軸３５は上下に移動可能で、止め板３２、固着具３３、３７、及びハンガー軸３５は一体で、ベース材３１はハンガー軸３５の軸芯回りに回動可能とされ、固着具３７は組立て時のハンガー軸３５の落下を防止している。
図５（ａ）（ｂ）に示すのは可動パネルＡ上側でハンガー部材３を開口部Ａ２の右端部に固着した例で、開口部Ａ２の底面に軸支持材３４の各端片３４ｂの固着孔３４ｄに固着具３６を挿着して固着し、図示しないが同様に、開口部Ａ２の左端部にも他方のハンガー部材３を固着する。レールＢにベース材３１の摺動面３１ａを嵌合し摺動すると、クッション材２３は床面ＧＧとの間に間隙を有しているので、図５（ｄ）に示す通り中間片３４ａ上面がレールＢのリップ片下面から離れておかれ、レールＢのリップ溝形内面と摺動面３１ａとが当接する状態となり、可動パネルＡはレールＢに対し摺動するベース材３１から止め板３２、ハンガー軸３５、軸支持材３４を介して吊下げられ、レールＢに沿って転動可能とされる。ここで可動パネルＡの荷重は、「軸支持材３４の中間片３４ａ→頭３５ｃ→軸３５ａ→止め板３２→ベース材３１→レールＢ」と伝達される。ここで、頭３５ｃの下面と開口部Ａ２の底面との間隔ｐと、中間片３４ａ上面とレールＢのリップ片下面との間隔ｑとは、ｑ＞ｐの関係におかれている。
他方、クッション材２３を前記可動パネルＡの可動位置から図２（ｃ），図３（ａ）に示す可動パネルＡの固定位置に対応して、可動パネルＡを矢印Ｘ方向に移動するように工具Ｔにより駆動ギア１２を回動して調整し、クッション材２３下面が床面ＧＧに達して更に駆動ギア１２を回動し続けると下側はそれ以上矢印Ｘ方向には下降できず、可動パネルＡは図５（ｃ）に示す通り、矢印Ｘ方向と逆のＹ方向に押上げられて上昇を始め、間隔ｐだけ上昇すると開口部Ａ２の底面がハンガー軸３５の頭３５ｃに当接してハンガー軸３５を更に矢印Ｙ方向に押上げ、ベース材３１下面はレールＢのリップ片上面から僅かに離れ上昇するが、ｑ−ｐだけ上昇すると軸支持材３４の中間片３４ａ上面がレールＢのリップ片下面に当接し可動パネルＡのそれ以上の上昇は抑制される。
その結果可動パネルＡは、下端部は可動パネル固定装置１により上下に調整されるクッション材２３と床面ＧＧとの密着、及び上端部はハンガー部材３の中間片３４ａと天井側のレールＢリップ片との当接により、天井及び床面間に強固に密着し押さえられる。又前記した開口部Ａ２の左端部に設けられたハンガー部材３も前記右端部と同様に作動し、１組の可動パネル固定装置１によるクッション材２３の上下調整のみで、可動パネルＡが左右バランスよく天井及び床面の変動に対応して密着される。
同様に複数枚の可動パネルＡを左右に並べた間仕切りでは、他の可動パネルＡでも同様に調整し、いずれもクッション材２３の上下調整を各可動パネルＡの下側で略中央部の一か所で行うのみで天井及び床面の変動に対応でき、取付け、調整及び保守の手間がかからず作業性に優れる。
【００１２】
次に、図６（ｃ）に示すのは、可動パネルＡの下端部と側縁部に可動パネル固定装置１を用いた例で、下端部に装着されているのは前記した可動パネル固定装置１、レールＢ及びハンガー部材３共全く同じであるが、側縁部ではレールＢ及びハンガー部材を廃し、可動パネルＡの側縁部（本例では左側）においては左右端縁に通常可動パネルＡと直交し床面に直立する側壁Ｃの側面との間にクッション材２３が当接するように、固定ケース２１、移動ケース２２及びクッション材２３を含む可動パネル固定装置１全体を９０度回転させて装着し、可動パネルＡ側縁部の前面に穿設された図示しない駆動孔から、固定ケース２１の駆動孔２１ｄより工具Ｔを挿入し駆動ギア１２を回動してクッション材２３の移動を水平左右方向に移動させ、壁面の変動に対応し可動パネルの可動及び固着位置間を調整できる。この場合、側壁Ｃと反対側の隣合う可動パネルＡとの対向面は接触し側壁Ｃと反対方向への移動が抑制される。
【００１３】
【発明の効果】
本発明に可動パネル固定装置によれば、簡易な構造で可動パネルの下側又は側端側の一方にのみ用い略中央部の一か所での調整のみでよく、天井面、床面等の天地面及び壁面の変動に対応でき、取付け、調整及び保守の手間がかからず、作業性に優れている。
【図面の簡単な説明】
【図１】本発明の可動パネル固定装置の一例の各構成要素の分解斜視図で、（ａ）使用状態で、（ｂ）（ａ）の上下位置を転倒した状態で示す。
【図２】図１の可動パネル固定装置の組立て図で、（ａ）平面図、（ｂ）一部ＢＢ′断面を含む正面図、（ｃ）パネル固定時のＡＡ′側断面図、（ｂ）パネル可動時のＡＡ′側断面図である。
【図３】図１の可動パネル固定装置の調整を示す斜視図で、（ａ）パネル固定時、（ｂ）パネル可動時を示す。
【図４】図１の可動パネル固定装置と対で用いられる転動部材の各構成要素の分解斜視図である。
【図５】図４の転動部材の組立て図で、（ａ）平面図、（ｂ）正面図、（ｃ）パネル固定時のＣＣ側断面図、（ｂ）パネル可動時のＣＣ側断面図である。
【図６】図１の可動パネル固定装置の可動パネルへの取付け及び調整を示す斜視図で、（ａ）端部用の可動パネル、（ｂ）中間部用の可動パネルを示す。
【符号の説明】
１　可動パネル固定装置
１１　ギアボックス
１２　駆動ギア
１３　従動ギア
１４　押え板
１５、３４　軸支持材
１５ａ、３４ａ　中間片
１５ｂ、３４ｂ　端片
１５ｃ、３４ｃ　軸孔
１６　調整軸
１６ｄ　ストッパー
２１　固定ケース
２２　移動ケース
２３　クッション材
３　ハンガー部材
３１　ベース材
３２　止め板
３５　ハンガー軸
Ａ　可動パネル
Ａ１、Ａ２　開口部
Ｂ　レール
【図１】
2004036355.tif 000003
【図２】
2004036355.tif 000004
【図３】
2004036355.tif 000005
【図４】
2004036355.tif 000006
【図５】
2004036355.tif 000007
【図６】
2004036355.tif 000008